【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
物体側から像側へ順に、ズーミングのためには不動の正の屈折力の第１レンズ群と、ズーミングのために光軸上を移動する２つ以上のレンズ群を含む変倍系と、ズーミングのためには不動の後レンズ群とを有し、隣り合うレンズ群の間隔がズーミングのために変化するズームレンズであって、
前記変倍系は、最も物体側においてズーミングのために移動する負の屈折力の第２レンズ群を有し、前記第１レンズ群は、物体側から像側へ順に、フォーカシングのためには不動の第１１群と、フォーカシングのために移動する１つ以上のレンズ群を含む第１２群とを有し、
無限遠に合焦している前記ズームレンズの望遠端での焦点距離をｆｔとし、無限遠に合焦している前記ズームレンズの望遠端でのＦナンバーをＦｎｔとし、前記第１２群中の最も物体側のレンズにおける光線有効径をＥＡ１２として、
１．３＜ｆｔ／Ｆｎｔ／ＥＡ１２＜１．９
なる条件式を満たすことを特徴とするズームレンズ。
【請求項２】
前記第１レンズ群の焦点距離をｆ１とし、前記第１２群の焦点距離をｆ１２として、
０．８＜ｆ１／ｆ１２＜１．４
なる条件式を満たすことを特徴とする請求項１に記載のズームレンズ。
【請求項３】
前記第１１群は、正の屈折力を有することを特徴とする請求項１または２に記載のズームレンズ。
【請求項４】
前記第１２群は、正の屈折力の１つの群から構成されていることを特徴とする請求項１乃至３のうちいずれか１項に記載のズームレンズ。
【請求項５】
前記第１２群は、正の屈折力の第１２ａ群と正の屈折力の第１２ｂ群とから成り、フォーカシングのために前記第１２ａ群と前記第１２ｂ群とは互いに異なった軌跡で移動することを特徴とする請求項１乃至３のうちいずれか１項に記載のズームレンズ。
【請求項６】
無限遠から物体距離２０ｆｔへのフォーカシングのための、前記第１２ａ群の移動量をδ１２ａとし、前記第１２ｂ群の移動量をδ１２ｂとして、
１．０＜δ１２ｂ／δ１２ａ
なる条件式を満たすことを特徴とする請求項５に記載のズームレンズ。
【請求項７】
前記変倍系は、物体側から像側へ順に、負の屈折力の第２レンズ群と、ズーミングのために移動する負の屈折力の第３レンズ群とから構成され、前記後レンズ群は、正の屈折力のレンズ群から構成されていることを特徴とする請求項１乃至６のうちいずれか１項に記載のズームレンズ。
【請求項８】
前記変倍系は、物体側から像側へ順に、負の屈折力の第２レンズ群と、ズーミングのために移動する負の屈折力の第３レンズ群と、ズーミングのために移動する正の屈折力の第４レンズ群とから構成されていることを特徴とする請求項１乃至６のうちいずれか１項に記載のズームレンズ。
【請求項９】
前記変倍系は、物体側から像側へ順に、負の屈折力の第２レンズ群と、ズーミングのために移動する正の屈折力の第３レンズ群と、ズーミングのために移動する正の屈折力の第４レンズ群とから構成され、前記後レンズ群は、負の屈折力のレンズ群から構成されていることを特徴とする請求項１乃至６のいずれか１項に記載のズームレンズ。
【請求項１０】
請求項１乃至９のうちいずれか１項に記載のズームレンズと、
前記ズームレンズによって形成された像を光電変換する撮像素子と、
を有することを特徴とする撮像装置。
【請求項１１】
前記撮像素子の有効画面の対角長をＩＳとして、
１０．０＜ｆｔ／ＩＳ＜４０．０
なる条件式を満たすことを特徴とする請求項１０に記載の撮像装置。
【手続補正２】
【補正対象書類名】明細書
【補正対象項目名】０００８
【補正方法】変更
【補正の内容】
【０００８】
本発明は、例えば、フォーカシングレンズ群の小型軽量、および全物体距離範囲にわたる高い光学性能の点で有利なズームレンズの提供を目的とする。
【手続補正３】
【補正対象書類名】明細書
【補正対象項目名】０００９
【補正方法】変更
【補正の内容】
【０００９】
本発明のズームレンズは、物体側から像側へ順に、ズーミングのためには不動の正の屈折力の第１レンズ群と、ズーミングのために光軸上を移動する２つ以上のレンズ群を含む変倍系と、ズーミングのためには不動の後レンズ群とを有し、隣り合うレンズ群の間隔がズーミングのために変化するズームレンズであって、
前記変倍系は、最も物体側においてズーミングのために移動する負の屈折力の第２レンズ群を有し、前記第１レンズ群は、物体側から像側へ順に、フォーカシングのためには不動の第１１群と、フォーカシングのために移動する１つ以上のレンズ群を含む第１２群とを有し、
無限遠に合焦している前記ズームレンズの望遠端での焦点距離をｆｔとし、無限遠に合焦している前記ズームレンズの望遠端でのＦナンバーをＦｎｔとし、前記第１２群中の最も物体側のレンズにおける光線有効径をＥＡ１２として、
１．３＜ｆｔ／Ｆｎｔ／ＥＡ１２＜１．９
なる条件式を満たすことを特徴としている。
【手続補正４】
【補正対象書類名】明細書
【補正対象項目名】００１０
【補正方法】変更
【補正の内容】
【００１０】
本発明によれば、例えば、フォーカシングレンズ群の小型軽量、および全物体距離範囲にわたる高い光学性能の点で有利なズームレンズが得られる。
【手続補正５】
【補正対象書類名】明細書
【補正対象項目名】００１２
【補正方法】変更
【補正の内容】
【００１２】
以下に、本発明の好ましい実施の形態を、添付の図面に基づいて詳細に説明する。本発明のズームレンズは、物体側から像側へ順に、ズーミングに際して（のためには）不動の正の屈折力の第１レンズ群、ズーミングに際して（のために）光軸上を移動する２つ以上のレンズ群を含む変倍系、ズーミングに際して不動の後レンズ群を有する。隣り合うレンズ群の間隔がズーミングのために変化する。図１（Ａ）、（Ｂ）は本発明の実施例１のズームレンズの望遠端（長焦点距離端、焦点距離ｆｔ＝６００ｍｍ）で、無限遠にフォーカス時（合焦時）と物体距離２０ｆｔ（１２ｍ）に合焦時のレンズ断面図である。
【手続補正６】
【補正対象書類名】明細書
【補正対象項目名】００１７
【補正方法】変更
【補正の内容】
【００１７】
各レンズ断面図において左方が物体（被写体）側で、右方が像側である。レンズ断面図において、矢印は広角端から望遠端へのズーミングに際しての（のための）各レンズ群の移動軌跡を示す。フォーカスに関する矢印は無限遠物体から至近物体へのフォーカシングに際してのレンズ群の移動方向を示す。レンズ断面図において、Ｕ１はズーミングのためには不動の正の屈折力の第１レンズ群である。第１レンズ群Ｕ１はフォーカシングに際して（のため）移動するレンズ群が含まれている。ＬＶはズーミングに際して移動するレンズ群を２つ以上有する変倍系である。ＬＲはズーミングに際して（のためには）不動の後レンズ群である。
【手続補正７】
【補正対象書類名】明細書
【補正対象項目名】００４４
【補正方法】変更
【補正の内容】
【００４４】
各実施例において変倍系ＬＶは最も物体側においてズーミングに際して移動する負の屈折力の第２レンズ群Ｕ２を有する。第１レンズ群Ｕ１は物体側から像側へ順にフォーカシングに際して不動の第１１群Ｕ１１、フォーカシングに際して移動する１つ以上のレンズ群を含む第１２群Ｕ１２を有する。無限遠にフォーカス時の望遠端における全系の焦点距離をｆｔ、無限遠にフォーカス（合焦）時の望遠端におけるＦナンバーをＦｎｔ、第１２群Ｕ１２の最も物体側のレンズの光線有効径をＥＡ１２とする。このとき、
１．３＜ｆｔ／Ｆｎｔ／ＥＡ１２＜１．９    ・・・（１）
なる条件式を満たす。